(57)【要約】【課題】計測後に本体部をセンサ装置から取り外すことができると認識させることにより、本体部を再利用可能なセンサ装置を提供する。【解決手段】  使用者の体表面に貼り付けられた状態で携帯可能なセンサ装置１は、使用者に関する情報を計測する本体部４と、本体部４を収容する本体部収容部５を有するシート部２と、シート部２の一面側に設けられた粘着部３とを備えている。シート部２の破断予定部１０ａは、本体部収容部５に対応する位置に形成されている。粘着部３の破断予定部１０ｂは、本体部収容部５に対応する位置に形成されている。センサ装置１を使用者から剥がす力が粘着部３の粘着力を上回って破断予定部１０ａ，１０ｂが破断すると、本体部４が本体部収容部５から露出して使用者等に目視される。【選択図】図６
2018075256.tif 000002
【特許請求の範囲】
【請求項１】
使用者の体表面に貼り付けられた状態で携帯可能なセンサ装置であって、
前記使用者に関する情報を計測可能な計測部と、
前記計測部の計測結果に対応した処理を行う本体部と、
前記本体部を収容する本体部収容部を有するシート部と、
前記シート部の一面側に設けられた粘着部と、を備え、
前記シート部および前記粘着部は、前記本体部収容部に対応する位置に形成された破断予定部を有し、
前記破断予定部は、当該センサ装置が前記使用者から剥がされる力と前記粘着部の粘着力により破断されるセンサ装置。
【請求項２】
前記本体部及び前記本体部収容部は平面視で矩形状に形成され、
前記破断予定部は、前記本体部収容部の連続する三辺に対応する位置に形成されている請求項１記載のセンサ装置。
【請求項３】
前記粘着部は、異なる粘着力を有する第一領域および第二領域を含み、
前記第二領域は、前記第一領域よりも強い粘着力を有し、
前記粘着部に形成された前記破断予定部は、前記第一領域と前記第二領域の境界部分に形成されている請求項１または２に記載のセンサ装置。
【請求項４】
前記破断予定部は、鎖線状に設けられた切り込み部で形成される請求項１から３のいずれか一項に記載のセンサ装置。
【請求項５】
前記破断予定部は、注目色で着色されている請求項１から４のいずれか一項に記載のセンサ装置。
【請求項６】
前記本体部は、
前記計測部の計測結果に対応した解析を行う解析部と、
前記解析部の解析結果を記憶する記憶部と、を有する請求項１から５のいずれか一項に記載のセンサ装置。
【請求項７】
前記本体部は、
前記記憶部に記憶された前記解析結果を前記センサ装置の外部に送信する送信部と、を有する請求項６に記載のセンサ装置。
【請求項８】
前記計測部は、前記本体部または前記粘着部の少なくともいずれかの一部として設けられている請求項１から７のいずれか一項に記載のセンサ装置。
【請求項９】
請求項１から８のいずれか一のセンサ装置に用いられる前記本体部。
【請求項１０】
使用者の体表面に貼り付けられた状態で携帯可能なセンサ装置用シートであって、
前記使用者に関する情報を計測可能な計測部と、
前記計測部の計測結果に対応した処理を行う本体部を収容する本体部収容部を有するシート部と、
前記シート部の一面側に設けられた粘着部と、を備え、
前記シート部および前記粘着部は、前記本体部収容部に対応する位置に形成された破断予定部を有し、
前記破断予定部は、前記シート部が前記使用者から剥がされる力と前記粘着部の粘着力により破断するセンサ装置用シート。
【発明の詳細な説明】
【技術分野】
【０００１】
本発明は、生体情報等の使用者に関する情報を計測する本体部を再利用可能なセンサ装置に関する。
【背景技術】
【０００２】
健康モニタリングに用いられる装着型センサが知られている（特許文献１）。この装着型センサは、使い捨て式モジュールと、再使用可能モジュールとを具える。
【先行技術文献】
【特許文献】
【０００３】
【特許文献１】特表２０１５‐５２０６５５号公報
【発明の概要】
【発明が解決しようとする課題】
【０００４】
従来の装着型センサは、再利用可能モジュールを使い捨て式モジュールに連結し、カバーを使い捨て式モジュールに連結して構成されている。
この装着型センサのように、使い捨て部分と再使用されるセンサとからなるセンサ装置では、カバー等の使い捨て部分は比較的安価であるが、再使用されるセンサモジュールは高価である。
そのため、センサモジュールを装着型センサから取り外して再利用したいという要望がある。
【０００５】
しかし、従来の装着型センサ装置のようなセンサ装置は、センサモジュールがカバー等の内部に組み込まれていて外部からは見えず、センサモジュールを使い捨てのカバー等と分別して取り出せるという認識はされ難く、カバー等の廃棄と同時にセンサモジュールも廃棄されてしまっていた。
特に、多忙な医療現場では、多種多様なセンサを使用している。そのため、組み込まれたセンサモジュールについて、使い捨て部分と分別できるセンサモジュールなのか、センサモジュールを含めた装着型センサ装置の全体が使い捨てなのかを、個別に把握することが難しく、センサモジュールの分別回収も十分に行われていなかった。
【０００６】
本発明は、計測後に本体部をセンサ装置から取り外すことができると認識させることにより、本体部を再利用可能なセンサ装置を提供することを目的とする。
【課題を解決するための手段】
【０００７】
本発明のセンサ装置は、使用者の体表面に貼り付けられた状態で携帯可能なセンサ装置であって、
前記使用者に関する情報を計測可能な計測部と、
前記計測部の計測結果に対応した処理を行う本体部と、
前記本体部を収容する本体部収容部を有するシート部と、
前記シート部の一面側に設けられた粘着部と、を備え、
前記シート部および前記粘着部は、前記本体部収容部に対応する位置に形成された破断予定部を有し、
前記破断予定部は、当該センサ装置が前記使用者から剥がされる力と前記粘着部の粘着力により破断されるように構成されている。
【０００８】
上記構成によれば、破断予定部が破断されて、本体部収容部に収容された本体部がセンサ装置から露出する。この本体部の露出により、センサ装置を剥がす者は本体部を容易に目視することができ、この目視により本体部はセンサ装置から取り外し可能であることを認識することができる。
【発明の効果】
【０００９】
本発明によれば、計測後に本体部をセンサ装置から取り外すことができると認識させることができ、センサ装置の本体部を取り外して再利用することができる。
【図面の簡単な説明】
【００１０】
【図１】本発明の実施形態に係るセンサ装置の分解斜視図である。
【図２】センサ装置の平面図である。
【図３】本体部の機能ブロック図である。
【図４】センサ装置に本体部を挿入する説明図であり、本体部の挿入前のシート部を示す説明図である。
【図５】センサ装置に本体部を挿入する説明図であり、シート部に本体部を挿入する状態を示す説明図である。
【図６】センサ装置を使用者から剥がすときに本体部が露出する状態を説明する説明図である。
【図７】センサ装置の変形例の底面図である。
【図８】センサ装置の変形例の底面図である。
【図９】センサ装置の変形例の底面図である。
【図１０】センサ装置の変形例の斜視図である。
【発明を実施するための形態】
【００１１】
以下、本発明に係るセンサ装置の実施の形態の例を、図面を参照して説明する。
センサ装置は、センサ装置の使用者に関する情報を計測可能な計測部と、計測部の計測結果に対応した処理を行う本体部と、本体部を収容する本体部収容部を有するシート部と、シート部の一面側に設けられた粘着部と、が備えられている。このセンサ装置は、使用者の胸部等の生体組織面すなわち体表面（皮膚）に直接貼り付けられた状態で携帯可能で、計測終了後は使用者の体表面から取り外される装置である。
センサ装置１は、少なくとも、再利用可能なセンサ等である本体部４と、使用者の体表面に直接貼り付けられて使用後は廃棄されるシート部２及び粘着部３とを備えている。
【００１２】
＜センサ装置用シート＞
センサ装置用シート１ａは、センサ装置１に用いられて使用者の体表面に直接貼り付けられて使用されるシートであり、生体情報の計測終了後は廃棄されるシートである。図１は本実施形態のセンサ装置の分解斜視図、図２はセンサ装置の平面図である。図２に示すセンサ装置の面をセンサ装置１の表面とし、図２に示すセンサ装置１の表面と反対側の面をセンサ装置の裏面とする。
【００１３】
センサ装置用シート１ａは、図１に示すように、複数の層２ａ，２ｂ，２ｃが積層されたシート部２と、シート部２の一面側に設けられた粘着部３とを備えている。
【００１４】
センサ装置用シート１ａの材料は、使用者の胸部等の生体組織面すなわち体表面（皮膚）に直接貼り付けて用いることができる材料であって、センサ装置用シート１ａに収容される本体部４が破損しない材料であれば、各種の材料を用いることができ、例えばゴムシート等の弾性を有する材料で形成することができる。
【００１５】
図１及び図２に示すセンサ装置用シート１ａは平面視で角を丸めた長方形形状で形成されているが、センサ装置用シート１ａの形状は平面視で角を丸めた長方形形状に限らず、使用者の体表面に直接貼り付けて用いることができる形状であればよく、平面視で角を直角とした矩形形状、楕円形状、正方形形状等の各種の形状で形成することができる。
【００１６】
＜シート部＞
シート部２は、本体部４を収容可能な本体部収容部５を有する構成とされている。図１に示すように、シート部２は、本体部収容部５と、ソケット部６と、計測結果をセンサ装置１の外部に送信する送信用アンテナ７と、本体部４を駆動する駆動用電池８と、蓋部９とを備えている。
【００１７】
図１のシート部２は複数の層２ａ，２ｂ，２ｃを積層して構成されているが、センサ装置用シート１ａのシート部２は積層構造に限らず、本体部４を内蔵可能な厚みを有する構造であれば各種のものを用いることができる。シート部２は、例えば、分厚い一枚のシートで形成することができる。
【００１８】
＜本体部収容部＞
本体部収容部５は、本体部４を収容する空間であり、シート部２に形成されている。一例として、本体部収容部５は、シート部２の厚み方向およびシート部２の長方形形状の長尺方向において、本体部４の全体（本体部４の体積）よりも大きく、シート部２の全体よりも小さい空間部で構成されている。本体部収容部５は、シート部２の内部であって粘着部３に面しない位置に形成してもよい。
図１では、本体部収容部５は平面視で略円形形状の輪郭を有する空間で構成されている。
本体部収容部５の輪郭は、図１に示す略円形形状に限らず、本体部４を収容できる空間を区画する二次元平面形状であれば各種の形状とすることができる。本体部収容部５は、例えば、横長長方形の輪郭とすることができる。
【００１９】
＜ソケット部＞
ソケット部６は、本体部４を挿入した状態で、本体部４を本体部収容部５に収容可能なシート部２の所定位置に設けられている。ソケット部は、センサ装置用シート１ａと本体部４を電気的に接続するように構成されている。
【００２０】
ソケット部６は、本体部４を本体部収容部５に収容できるものであれば各種の構成のものを用いることができる。ソケット部６は、本体部４のほぼ全体を嵌入し、本体部４がセンサ装置１から露出するときに本体部４を指等で取り出す部位を切り欠いた枠部で形成してもよい。また、ソケット部６は、矩形の本体部４の一辺を嵌め込み、本体部４の嵌め込まれていない三辺を本体部収容部５に位置させる形状に形成してもよい。
【００２１】
＜駆動用電池＞
図１に、本体部４を駆動する駆動用電池８が示されている。駆動用電池８は、計測部２１、解析部２２、記憶部２３、送信部２４等の各部の動作に必要な電力を供給するように構成されている。
なお、センサ装置１の動作に必要な電力の供給は、駆動用電池８による供給に限らない。例えば、図３に示すように、計測部２１、解析部２２、記憶部２３、送信部２４等の各部に接続される電源部２５を備えて、この電源部２５から必要な電力が供給されるように構成してもよい。
【００２２】
＜蓋部＞
蓋部９は、本体部４をシート部２に取り付ける開口部であり、シート部２の表面に形成されている。蓋部９は、図２では矩形の三辺を切断した平面視突状の開口で形成されている。
蓋部９は、平面視で本体部収容部５の輪郭と重なるシート部２の表面に形成してもよく、平面視で本体部収容部５の輪郭よりも大きい面積の輪郭で形成してもよい。また、本体部収容部５が矩形の場合には、蓋部９を、本体部収容部５の四辺を含んで本体部収容部５の四辺よりも大きい四辺で構成する矩形の三辺を切断することにより形成してもよい。
蓋部９は、本体部４が破損しないように、センサ装置用シート１ａと同質の材料で形成してもよく、例えばゴムシート等の弾性を有する材料で形成してもよい。
【００２３】
＜粘着部＞
図１に示す粘着部３は、使用者に関する情報（後述する）を計測する計測時に使用者の体表面に貼り付けられた状態を維持できる粘着力を有する所定厚みの部材で形成されている。
粘着部３は、使用者に関する情報を計測する計測時に使用者の体表面に貼り付けられた状態を維持でき、センサ装置１が使用者から剥がされる力が大きくなったときには使用者の体表面から剥がされる粘着力を有するものであればよく、各種の粘着剤、接着剤等で形成することができる。一例として、粘着部３は、図１に示す層構造で形成することができる。
【００２４】
粘着部３は、導電性を有しない粘着剤に、使用者の体表面から生体電位を取得する電極（不図示）を配置した構成とすることもできる。
この電極は、体表面に直接接する粘着部３の部位に複数配置するように構成されてもよく、一例として、体表面から生体電位を取得する２つの電極で構成することができる。この電極は、生体情報の計測や使用者の周辺環境の検出等の使用者に関する情報の計測に一般的に用いられる各種の電極を用いることができる。
【００２５】
また、粘着部３は、導電性を有する粘着剤で形成することができる。導電性を有する材料で構成される粘着部３は、生体情報の計測や使用者の周辺環境の検出等の使用者に関する情報の計測に用いられる電極を兼ねるように構成されてもよい。電極を兼ねる粘着部３は、ソケット部６及びシート部２と接触するように配置されて、使用者の体表面から生体電位を取得するように形成することができる。
【００２６】
また、粘着部３の厚みは、使用者に関する情報を計測する計測時に使用者の体表面に貼り付けられた状態を維持でき、センサ装置１が使用者から剥がされる力が大きくなったときに使用者の体表面から粘着部を剥がすことができるものであれば、適宜の厚みで形成することができる。
なお、粘着部の下面に剥離紙をさらに重ねて、センサ装置１の使用前における粘着部の汚れ等を防止してもよい。
【００２７】
＜破断予定部＞
センサ装置１は、センサ装置１が使用者の体表面から剥がされるときに破断する破断予定部１０を有している。
【００２８】
破断予定部１０は、シート部２に形成される破断予定部１０ａ及び粘着部３に形成される破断予定部１０ｂで構成されている。
また、破断予定部１０は、本体部収容部５に対応する位置に形成されている。破断予定部１０が形成される本体部収容部５に対応する位置は、本体部収容部５に収容した本体部４が、破断予定部１０が破断したときに露出する位置であればよく、平面視で本体部収容部５の輪郭と重なる部分としてもよく、本体部収容部５の輪郭の近傍としてもよい。
【００２９】
シート部２に設けられる破断予定部１０ａは、シート部２の粘着部３側（シート部２の裏面側）に形成されている。
シート部２に設けられる破断予定部１０ａは、本体部収容部５の下面から粘着部３に至る部分を、鎖線状態である切り込み部とすることにより形成することができる。図１に示すシート部２の破断予定部１０ａは、本体部収容部５の輪郭と重なる鎖線状態の切り込み部により略円形形状で形成されている。
【００３０】
粘着部３に設けられる破断予定部１０ｂは、使用者の体表面に接する粘着部３の面に、使用者の体表面に接する粘着部３の面（図２に示すセンサ装置１の裏面）に至る粘着部３の厚み全域を、鎖線状態である切り込み部とすることにより形成することができる。
粘着部３の破断予定部１０ｂは、シート部２の破断予定部が鎖線状態の切り込み部である場合、シート部２の鎖線状態の切り込み部の鎖線の間隔と平面視で重なる位置に形成される鎖線状態の切り込み部で構成してもよい。
図１に示す粘着部３の破断予定部１０ｂは、シート部２の切り込み部及び本体部収容部５の輪郭と重なる鎖線状態の切り込み部により略円形形状で形成されている。
【００３１】
なお、図１に示す破断予定部１０（１０ａ，１０ｂ）は、蓋部９の開閉の向きと同一の向きに破断する切り込み部で形成されているが、破断予定部１０を蓋部９と異なる向きに破断する蓋部９の鏡面形状の相似形状に重なる鎖線状態で形成してもよい。
【００３２】
＜計測部＞
センサ装置は、使用者に関する情報を計測可能な計測部２１を有している。計測部２１は、計測結果に関する計測信号を生成するように構成されている。生成された計測信号は、記憶部２３に送信されるようになっている。
【００３３】
使用者に関する情報には、生体情報及び周辺環境情報が含まれる。
生体情報とは、使用者の生体に関する各種の情報であり、使用者の体温、心電図、心拍数、インピーダンス呼吸、サーミスタ呼吸、脈拍、動脈血酸素飽和度、血糖値、心拍出量、脳波、筋電図等が含まれる。
周辺環境情報とは、計測時における使用者の周辺の各種環境に関する情報であり、加速度、位置情報、大気圧、周辺温度、周辺湿度、騒音、周辺照度等の情報が含まれる。周辺環境情報の計測の一例としては、心電図の計測開始時刻における使用者の地理的位置の情報、心電図の計測開始時刻の周辺温度及びセンサ装置の加速度、心電図の計測終了時刻における使用者の地理的位置の情報、心電図の計測終了時刻の周辺温度及びセンサ装置の加速度であり、この加速度の変化が大きい場合には使用者が転倒している可能性があることを検知することができる。
【００３４】
計測部２１は、本体部４の一部として設けられてもよい。本体部４の一部として設けられる計測部２１は、図３に示すように、本体部４の記憶部２３に計測信号を送信可能に接続されている。
計測部２１は、粘着部３の一部として設けられてもよい。粘着部３の一部として設けられる計測部２１は、導電性を有する粘着部３により記憶部２３に接続されるように構成されてもよい。粘着部３の一部として設けられる計測部２１は、導電性を有しない粘着部３の一部として、使用者の計測に用いる電極（不図示）により、記憶部２３と接続されるように構成されても良い。
計測部２１は、本体部４の一部として設けられ、かつ、粘着部３の一部として設けられてもよい。本体部４の一部として設けられる計測部２１及び粘着部３の一部として設けられる計測部２１は、使用者に関する同一の情報を計測する計測部２１としてもよく、使用者に関する異なる情報を計測する計測部２１としてもよい。例えば、本体部４の一部として設けられる計測部２１に加速度センサを用い、粘着部３の一部として設けられる計測部２１に心電図センサを用いることができる。
【００３５】
＜本体部＞
センサ装置１は、使用者の体表面に貼り付けられた状態で携帯可能なセンサ装置１に適する本体部４を有している。
本体部４は、計測部２１の計測結果に対応した処理を行うように構成されている。本体部４は、少なくとも図３に示す記憶部２３を有している。記憶部２３は、計測部２１から受信する計測信号を記憶するように構成されている。
【００３６】
本体部４は、記憶部２３に加えて、図３に示すように、解析部２２を有する構成とすることができる。解析部２２は、計測部２１から受信する計測信号に応じた解析を行い、解析結果に応じた解析信号を生成するように構成されている。生成された解析信号は、解析部２２から記憶部２３に送信されるようになっている。解析部２２から解析信号を受信した記憶部２３は、解析信号を記憶するように構成されている。
【００３７】
センサ装置１は、記憶部２３に記憶した解析信号をセンサ装置１の外部に送信する送信部２４を有している。送信部２４は、センサ装置１の外部に解析信号等の使用者に関する情報を送信できるものであれば良く、一例として、汎用プロトコルに従って解析信号を送信する無線装置を用いることができる。
送信部２４は、本体部４に設けられてもよく、本体部４以外の所定位置、例えば図１の送信用アンテナ７の近傍に設けられてもよい。
【００３８】
本体部４は、使用者の体表面に貼り付けて生体情報の計測を行う各種の装置を用いることができ、一例として、計測部２１、解析部２２、記憶部２３及び送信部２４の機能を備えたＳＤカード型送信機を用いることができる。記憶部２３に記憶された計測信号は、解析部２２により解析されて送信部２４により本体部４の外部に送信されてもよく、計測終了後にパソコン等の外部機器により検出されて解析されてもよい。
【００３９】
センサ装置１は、センサ装置１の外部において、記憶部２３に記憶した計測信号を直接取得するように構成し、送信部２４を有さない構成とすることができる。一例として、計測部２１の計測結果、計測信号、解析部２２の解析結果、解析信号等の使用者に関する情報を本体部４の記憶部２３に記憶する構成とし、計測終了後に本体部４をセンサ装置１から取り出してパソコン等の外部装置に接続し、外部装置の操作により記憶部２３に記憶された使用者に関する情報を取得する構成とすることができる。
【００４０】
＜本体部の組み込み＞
本体部４をシート部２に組み込む動作について、図４及び図５を用いて説明する。図４は本体部の挿入前のシート部を示す説明図であり、図５はシート部に本体部を挿入する状態を示す説明図である。図４及び図５に示す本体部４には、計測部２１、解析部２２、記憶部２３、送信部２４を有する記録媒体が用いられる。
【００４１】
図４に示すように、シート部２の表面側に形成された蓋部９を、シート部２の表面から離れる方向（センサ装置１の上方向。使用者の体表面から離れる方向。センサ装置１における粘着部３と逆の方向）に持ち上げると、シート部２の表面が開く。シート部２の表面が開くと、図５に示すように、本体部収容部５及びソケット部６が露出する。
露出したソケット部６に本体部４を挿入して、本体部４をソケット部６に嵌め込んで固定し、本体部４を本体部収容部５内に配置する。
本体部４を本体部収容部５に配置した状態で、蓋部９を、図４の開いた状態から、本体部４に重ねる方向（シート部２に近づける方向）に移動させ、蓋部９を粘着部３側に向けて押し当てて、蓋部９を閉じる。この蓋部９の閉塞により、本体部の取り付けが完了する。
【００４２】
＜センサ装置による生体情報の計測＞
センサ装置１は、計測時に粘着部３を使用者の体表面に貼り付けて、体温や心電図等の使用者に関する情報を計測する。計測部２１は、計測結果に関する計測結果信号を生成する。計測結果信号は、計測部２１から解析部２２に送信さる。解析部２２は、受信した計測結果信号を解析して、解析結果に応じた解析結果信号を生成する。解析結果信号は、解析部２２から記憶部２３に送信されて記憶部２３に記憶され、送信部２４から送信用アンテナ７を通じてセンサ装置１の外部に送信される。送信された解析結果信号を不図示の解析機器で確認して解析することにより、心電図等の計測結果（生体情報）が確認され解析されて、心疾患の発見等に利用される。
【００４３】
＜本体部の取り出し＞
センサ装置１を用いた生体情報の計測の終了後に、センサ装置１から本体部４を取り出す動作について、図６を用いて説明する。
図６は、センサ装置１が使用者の体表面から半分程度剥がれた状態を示す説明図である。
【００４４】
使用者の生体情報の計測が終了し、解析結果信号が送信部２４からセンサ装置１の外部に送信された後、センサ装置１を使用者の胸部等の体の表面から剥がすため、シート部２の一端（縁）を爪等で引っ張って剥がしていく。このとき、センサ装置１が使用者から剥がされる力は、センサ装置１のシート部２を引っ張る引っ張り力となってシート部２および粘着部３に加わるが、使用者の体表面への粘着状態を維持しようとする粘着部３の粘着力が対抗して、センサ装置１は使用者の体の表面に貼付された状態を維持している。
【００４５】
センサ装置１を剥がすために、さらにシート部２を引っ張る引っ張り力を大きくしていくと、シート部２を引っ張る引っ張り力は、使用者の体表面への粘着状態を維持しようとする粘着部３の粘着力に対して徐々に大きくなっていき、粘着部３の粘着力の大きさに近づいていき、粘着部３の粘着力よりも上回る大きさになっていく。
この粘着力に対する引っ張り力の増加に伴って、シート部２に形成した破断予定部１０ａ及び粘着部３に形成した破断予定部１０ｂが変化していく。
すなわち、シート部２における破断予定部１０ａ及び粘着部３における破断予定部１０ｂは、破断予定部１０ａ，１０ｂである切り込み部の鎖線状態が引っ張られて、鎖線状態から切離状態に変化してゆく。
そして、センサ装置１を使用者から剥がす力がさらに加わると、シート部２の破断予定部１０ａおよび粘着部３の破断予定部１０ｂの一部が破断する。
【００４６】
シート部２の破断予定部１０ａの一部および粘着部３の破断予定部１０ｂの一部が破断した後、センサ装置１を使用者から剥がす力をさらに加えて、センサ装置１を半分程度剥がしていき、図６に示す位置までシート部２を剥がしていく。
【００４７】
図６に示すように、センサ装置１は使用者の体表面から半分程度剥がれ、シート部２の破断予定部１０ａの全体及び粘着部３の破断予定部１０ｂの全体が破断している。本体部収容部５は大きく開き、本体部４が使用者の体表面に載置されて、本体部４がセンサ装置１から露出している。
センサ装置１の使用者やセンサ装置１を剥がす看護師等は、図６に示すように、体の表面に本体部４が露出している状態を目視することができ、本体部４が使い捨てではなく回収して再利用できる部位であることを認識することができる。本体部４は本体部４を目視する使用者等により確実に回収される。
回収された本体部４は、新たなセンサ装置に組み込んで、再利用することができる。
【００４８】
以上説明したように、本実施形態に係るセンサ装置１及びセンサ装置用シート１ａによれば、シート部２及び粘着部３に破断予定部１０（１０ａ，１０ｂ）が形成されているので、使用者の体表面からセンサ装置１を剥がしてゆき、使用者から剥がされる力が使用者の体表面への粘着を維持しようとする粘着部３の粘着力よりも強くなったときに、破断予定部１０（１０ａ，１０ｂ）が破断して、本体部収容部５に収容された本体部４がセンサ装置１から露出する。この本体部４の露出により、センサ装置１を剥がす者は、本体部４を容易に目視することができ、この目視によりセンサ装置１を剥がす者等に本体部４はセンサ装置１から取り外し可能であることを認識させることができる。
そして、本体部４がセンサ装置１から露出することにより、本体部４は、センサ装置１を剥がす者やセンサ装置１の使用者等により取り外して回収されることとなり、別の新たなセンサ装置に再利用することが可能となる。
【００４９】
＜変形例１＞
シート部２に形成される破断予定部１０ａ及び粘着部３に形成される破断予定部１０ｂは、図１及び図６に示す形状に限らず、センサ装置１が使用者から剥がされる力と粘着部３の粘着力により破断することに適したものであればよい。図７は、破断予定部の変形例を示すセンサ装置１の底面図である。
【００５０】
図７に示すように、センサ装置１は、矩形の本体部４（不図示）を収容する矩形形状の本体部収容部５を備えている。
破断予定部１０は、本体部収容部５の矩形状の連続する三辺に対応する位置に形成されている。シート部２の破断予定部１０ｃは、平面視で本体部収容部５の矩形形状に相似する矩形形状の連続する三辺に重なるシート部２の部分に鎖線状の切り込み部により形成されている。また、粘着部３の破断予定部１０ｄは、シート部２の破断予定部１０ｃに重なる位置に鎖線状の切り込み部により形成されている。
なお、図７及び図８に示す符号１１は使用者の生体情報を計測する本体部の露出部位であり、一例として、体温を計測する温度センサ端子等である。
【００５１】
図７に示す矩形の破断予定部１０（１０ｃ，１０ｄ）を形成したセンサ装置１から、本体部４を取り出す動作について説明する。
【００５２】
計測終了後に、センサ装置１を剥がすために、図７のシート部２の右側の短辺を引っ張っていくと、引っ張っているシート部２に近い破断予定部１０ｃ，１０ｄの一辺が最初に破断する。さらにシート部２を引っ張っていくと、破断予定部１０ｃ，１０ｄの最初に破断した一辺に隣接する二辺が徐々に破断していき、本体部収容部５の一部がシート部２から露出し、本体部収容部５から本体部４が露出していく。
【００５３】
さらにシート部２を体表面から剥がしていくと、破断予定部１０（１０ｃ、１０ｄ）の全体が破断して、破断予定部１０（１０ｃ，１０ｄ）の全体が剥離途中のセンサ装置１から露出し、本体部４の全体がセンサ装置１から露出して、使用者等に本体部４が目視される。
【００５４】
以上説明したように、変形例１に係るセンサ装置１によれば、シート部２の破断予定部１０ｃ及び粘着部３の破断予定部１０ｄは、平面視で本体部収容部の連続する三辺に対応する位置に鎖線状態の切り込み部で形成されているので、破断予定部１０（１０ｃ、１０ｄ）を形成する一辺が最初に破断し、最初に破断した辺に隣接する破断予定部１０（１０ｃ、１０ｄ）の二辺が破断し、さらにシート部２を引っ張ることにより破断予定部１０（１０ｃ、１０ｄ）の全体が破断して、本体部収容部５に収容された本体部４がセンサ装置１から露出する。この本体部４の露出により、センサ装置１を剥がす者は、本体部４を容易に目視することができる。
【００５５】
＜変形例２＞
シート部２に形成される破断予定部及び粘着部３に形成される破断予定部１０は、図１、図６、図７に示す形状に限らない。図８は破断予定部の変形例を示すセンサ装置１の底面図である。
【００５６】
図８に示す本体部収容部５は、矩形形状の本体部４（不図示）に相似する矩形形状で形成されている。シート部２に形成する破断予定部１０ｅは、本体部収容部５と相似する矩形形状の四辺すべてに重なるシート部２に設けた鎖線状態による切り込み部で構成されている。また、粘着部３に形成される破断予定部１０ｆは、シート部２の破断予定部１０ｅに重なる位置に鎖線状の切り込み部により形成されている。
【００５７】
図８に示す矩形の破断予定部１０（１０ｅ，１０ｆ）を形成したセンサ装置１から、本体部４を取り出す動作について説明する。
【００５８】
計測終了後に、センサ装置１を剥がすために、破断予定部１０（１０ｅ，１０ｆ）の一部に重なるシート部２の位置まで、シート部２を引っ張って使用者の体表面から剥がしていくと、引っ張っているシート部２に近い破断予定部１０（１０ｅ，１０ｆ）の一辺が最初に破断する。さらにシート部２を引っ張っていくと、破断予定部１０（１０ｅ，１０ｆ）の最初に破断した一辺に隣接する二辺が徐々に破断していき、さらにシート部２を引っ張っていくと破断予定部１０（１０ｅ，１０ｆ）の全体が破断して、破断予定部１０（１０ｅ，１０ｆ）の全体が剥離途中のセンサ装置１から露出して本体部収容部５の全体もセンサ装置１から露出し、本体部４の全体がセンサ装置１から露出して、本体部４が使用者等に目視される。
【００５９】
以上説明したように、変形例２に係るセンサ装置１によれば、シート部２の破断予定部１０ｅ及び粘着部３の破断予定部１０ｆは、鎖線状態で矩形の切り込み部に形成されているので、破断予定部１０（１０ｅ，１０ｆ）の全体が破断して、本体部収容部５に収容された本体部４がセンサ装置１から露出する。この本体部４の露出により、センサ装置１を剥がす者は、本体部４を容易に目視することができる。
【００６０】
＜変形例３＞
粘着部３に設けられる破断予定部１０は、センサ装置が使用者から剥がされる力と粘着部の粘着力により破断するものであればよく、粘着力の強弱を利用して形成することができる。図９は、粘着部３に設けられる破断予定部１０ｇの底面図である。
【００６１】
図９に示す粘着部３は、異なる粘着力の第一領域１２および第二領域１３で形成されている。第二領域１３の粘着力は、第一領域１２よりも強い粘着力で形成されている。
破断予定部１０ｇは第一領域１２と第二領域１３との境界部分に形成されている。
【００６２】
図９に示す破断予定部１０ｇを形成したセンサ装置１から、本体部４を取り出す動作について説明する。
【００６３】
計測終了後に、シート部２を引っ張って剥がしていくと、第二領域１３の粘着力は第一領域１２の粘着力よりも強いため、第一領域１２と第二領域１３の境界に形成された破断予定部１０ｇが破断する。
破断予定部１０ｇが破断すると本体部収容部５がシート部２から露出し、本体部収容部５から本体部４が露出して、本体部４が使用者等に目視される。
【００６４】
このように、使用者や看護師等は、切り込み部を粘着部３に設けなくても、図９に示す破断予定部１０ｇを破断させることができ、使用者の体表面側に本体部４が露出している状態をより容易に目視することができる。
【００６５】
＜変形例４＞
粘着力の強弱を利用して形成される粘着部に形成される破断予定部は、図９に示す第一領域１２及び第二領域１３の境界に限らず、粘着力の強弱により破断する各種の構成とすることができる。
例えば、図９に示す粘着部３の破断予定部１０ｇに重なる線状部分を変形例４における第二領域（不図示）とし、図９に示す破断予定部１０ｇで囲まれた領域及び図９における第一領域１２を変形例４における第一領域（不図示）とし、第二領域を第一領域よりも強い粘着力で構成することにより、図９に示す粘着部３の破断予定部１０ｇに重なる線状部分で構成される矩形形状を破断予定部（不図示）とすることができる。
【００６６】
第４変形例の破断予定部は、シート部２を引っ張る力が粘着部３の第一領域の粘着力よりも上回ると破断予定部が破断して、本体部収容部５から本体部４が露出して、本体部４が使用者等に目視される。
【００６７】
＜変形例５＞
破断予定部１０（１０ａ，１０ｂ、１０ｃ，１０ｄ，１０ｅ，１０ｆ，１０ｇ）は、目視されやすくする各種の構成とすることができる。
例えば、破断予定部１０（１０ａ，１０ｂ、１０ｃ，１０ｄ，１０ｅ，１０ｆ，１０ｇ）を、目視されやすい注目色に着色する構成とすることができる。
注目色は、使用者の生体情報を計測する携帯可能なセンサ装置に通常用いられない色、例えば、各種の蛍光色や、警告・危険を知らせる部位に用いられる赤色を用いることができる。
【００６８】
このように、破断予定部１０（１０ａ，１０ｂ、１０ｃ，１０ｄ，１０ｅ，１０ｆ，１０ｇ）を注目色で着色したので、破断予定部１０（１０ａ，１０ｂ、１０ｃ，１０ｄ，１０ｅ，１０ｆ，１０ｇ）が破断すると、一般的なセンサ装置の色（使用者の体表面と近い色、例えば肌色や乳白色や白色等）に対して破断予定部１０（１０ａ，１０ｂ、１０ｃ，１０ｄ，１０ｅ，１０ｆ，１０ｇ）の輪郭が際立って目立ち、使用者に目視されやすくなり、体表面側に本体部４が露出している状態をより容易に目視することができる。
【００６９】
＜変形例６＞
図２に示す蓋部９は、蓋部９を閉じることにより本体部４を収容する構成としているが、シート部２に、本体部４をより確実に収容するための構成をさらに設けてもよい。図１０は、本体部４をシート部２により確実に収容するための構成として、蓋部９及びシート部２に形成される接合構造の説明図である。
【００７０】
図１０に示すように、蓋部９には、蓋部９をシート部２の表面に向けて押し当てたときにシート部２に接する蓋部９の裏面に接合部１４を設けている。また、接合部１４に対応するシート部２の部位に、接合部１４と接合する被接合部１５を設けている。
接合部１４及び被接合部１５は、繰り返し着脱可能な接合部及び被接合部としてもよいが、本体部４を本体部収容部５に確実に収容し、この収容状態を確実に維持するために、接合部を接合した後は接合部が剥がれずに被接合部に固着される構成とすることができる。例えば、接合部１４及び被接合部１５を剥離紙付きのシールで構成してもよい。
【００７１】
接合構造を形成したセンサ装置１に、本体部４を組み込む動作を、図１０を用いて説明する。
【００７２】
蓋部９を、シート部２の表面から離れる方向（センサ装置１の上方向。使用者の体表面から離れる方向。センサ装置１における粘着部３と逆の方向）に持ち上げてシート部２の表面を開き、ソケット部６に本体部４を挿入して本体部４を本体部収容部５内に配置し、本体部４をシート部２に組み込む。
本体部４をシート部２に組み込んだ後、接合部１４を被接合部１５に重ねて接合する。接合部１４を被接合部１５に重ねて接合することにより、蓋部９が閉じ、本体部４が本体部収容部５に確実に収容される。
このような接合構造を設けたセンサ装置１を使用者の体表面に貼り付けるときに、仮にセンサ装置１を折り曲げたとしても、接合構造により蓋部９は外れることがなく、本体部４は本体部収容部５に収容された状態を確実に維持する。
【００７３】
本発明は、上述した実施形態や変形例に限定されず、適宜、変形、改良等が自在である。その他、上述した実施形態における各構成要素の材質、形状、形態、数、配置場所等は、本発明を達成できるものであれば任意であり、限定されない。
【符号の説明】
【００７４】
１  センサ装置、  ２  シート部、  ３  粘着部、  ４  本体部、  ５  本体部収容部、  ６  ソケット部、  ７  送信用アンテナ、  ８  駆動用電池、  ９  蓋部、  １０，１０ａ，１０ｂ、１０ｃ，１０ｄ，１０ｅ，１０ｆ，１０ｇ  破断予定部、  １２  第一領域、  １３  第二領域、  １４  接合部、  １５  被接合部、  ２１  計測部、  ２２  解析部、  ２３  記憶部、  ２４  送信部、  ２５  電源部
【図１】
2018075256.tif 000003
【図２】
2018075256.tif 000004
【図３】
2018075256.tif 000005
【図４】
2018075256.tif 000006
【図５】
2018075256.tif 000007
【図６】
2018075256.tif 000008
【図７】
2018075256.tif 000009
【図８】
2018075256.tif 000010
【図９】
2018075256.tif 000011
【図１０】
2018075256.tif 000012